Podtech/llm-jp-corpus-v4-ja_patent huggingface dataset:
(57)【要約】      （修正有）【課題】全ての細菌に有効、かつ、該細菌が耐性を持ち得ない万能抗生物質の提供。【解決手段】２分子の水酸化ナトリウムと１分子の塩化水素と１分子の過水素酸水からなる万能抗生物質。前記万能抗生物質を有効成分として含有する糖尿病治療薬。水素ガス（Ｈ２）と水（Ｈ２Ｏ）との混合物を超低温かつ超高圧で加工する過水素酸水（Ｈ３Ｏ）の製造方法。液体状又は固体状に加工した前記過水素酸水と水酸化ナトリウム粉体と塩化水素片とを混合し、炭素繊維製カプセルで封入、密閉した、万能抗生物質含有カプセル剤。【選択図】図３
2017095466.tif 000002
【特許請求の範囲】
【請求項１】
２Ｃ６Ｈ１２Ｏ６＋２ＮａＯＨ＋ＨＣｌ＋Ｈ３Ｏ
→（Ｃ６Ｈ１１Ｏ５）Ｎａ（Ｃ６Ｈ１１Ｏ６）＋ＮａＣｌ＋４Ｈ２Ｏ…  （１）
（１）式の反応に於いて
２分子のブドウ糖（Ｃ６Ｈ１２Ｏ６）と、２分子の水酸化ナトリウム（ＮａＯＨ）と、１分子の塩化水素（ＨＣｌ）と、１分子の過水素酸水（Ｈ３Ｏ）とを各構成要素とし当該各構成要素を混合したことを特徴とする万能抗生物質
【請求項２】
請求項１に於ける（１）式の化学反応を利用し、各構成要素が前記請求項１の前記万能抗生物質の前記混合した前記各構成要素と同一であることを特徴とする糖尿病治療薬
【請求項３】
水素ガス（Ｈ２）と水（Ｈ２Ｏ）との混合物を超低温かつ超高圧で加工することを特徴とする過水素酸水（Ｈ３Ｏ）の製造方法
【請求項４】
ドライアイス片をオブラート類で包み、過水素酸水（Ｈ３Ｏ）を液体状又は固体状に加工し、水酸化ナトリウム粉体と塩化水素片を混入させ、炭素繊維製カプセルで封入・密閉したカプセル方式の万能抗生物質薬錠剤
【発明の詳細な説明】
【技術分野】
【０００１】本発明は万能抗生物質、それを応用した糖尿病治療薬及びこれらの成分を含むカプセル式の錠剤の製法である。
【背景技術】
【０００２】従来の抗生物質は細菌の細胞膜が厚くなるなどの突然変異により、細菌が該薬剤に耐性を持つなどして、薬が効かなくなる場合が有った。
【発明の開示】
【発明が解決しようとする課題】
【０００３】従来の抗生物質は前記の如き理由により、特定の細菌に効かなくなるという欠点が有った。
【解決する手段】
【０００４】式（１）に依り、血中のブドウ糖を減少させ、細菌の餌を断つという方法により、全ての細菌に効くようにする、という方法に依る。
【発明の効果】
【０００５】全ての細菌に効く万能抗生物質を提供できる。また、血中のブドウ糖の濃度を下げることに依り、糖尿病治療薬としても効果が期待できる。更に、カプセル方式による錠剤の製造方法も開示した。
【実施例】
【０００６】請求項１について好ましい実施例を述べる。
図１、図２に於いて、
図１はブドウ糖の化学構造式であり、その化学記号はＣ６Ｈ１２Ｏ６である。
図２は澱粉質の化学構造式であり、その化学記号は（Ｃ６Ｈ１１Ｏ５）Ｎａ（Ｃ６Ｈ１１Ｏ６）である。
以上に於いて、
２Ｃ６Ｈ１２Ｏ６＋２ＮａＯＨ＋ＨＣｌ＋Ｈ３Ｏ
→（Ｃ６Ｈ１１Ｏ５）Ｎａ（Ｃ６Ｈ１１Ｏ６）＋ＮａＣｌ＋４Ｈ２Ｏ…  （１）
（１）式の反応に依り、血中の２分子のブドウ糖を細胞組織内の澱粉質に化学変化させ、血中のブドウ糖濃度を下げ、又は無くし、全ての細菌の餌を絶ち、死滅させることによる。【０００７】請求項２について、好ましい実施例を述べる。
前記反応式（１）により、血中のブドウ糖濃度を下げ、糖尿病の各症状を和らげる。【０００８】請求項３について、好ましい実施例を述べる。
耐圧容器（４）内に水（Ｈ２Ｏ）と水素ガス（Ｈ２）とを封入させ、該耐圧容器（４）内の温度をー２０度Ｃ前後、圧力を５ａｔｍ前後として混合・加圧する。【０００９】請求項４について、好ましい実施例を述べる。
ドライアイスをオブラート類で包み、水酸化ナトリウム粉体（ＮａＯＨ）と塩化水素片（ＨＣｌ）を混入させ、過水素酸水（Ｈ３Ｏ）を液体状又は固体状にして、炭素繊維製カプセルに詰めて、カプセル式錠剤とする。本錠剤は経口方式により摂取する。
【図面の簡単な説明】
【００１０】
【図１】はブドウ糖の化学構造式である。
【図２】は澱粉質の化学構造式である。
【図３】は過水素酸水の製造容器の概念図である。
【符号の簡単な説明】
【００１１】（１）は圧縮方向である。
（２）は水素ガス（Ｈ２）である。
（３）は水（Ｈ２Ｏ）である。
（４）は耐圧容器である。
Ｃは炭素である。
Ｈは水素である。
Ｏは酸素である。
Ｃｌは塩素である。
Ｎａはナトリウムである。
【図１】
2017095466.tif 000003
【図２】
2017095466.tif 000004
【図３】
2017095466.tif 000005
(57)【要約】【課題】  コンクリート舗装では、アスファルト舗装に比べて路面の光反射により運転手がまぶしさを感じて目が眩むことがあり、このまぶしさを低減する技術が求められていた。【解決手段】  コンクリートの用のセメントとして、ボーグ式により算出されるＣ３ＡおよびＣ４ＡＦの合計量が２２％以上、Ｃ３Ｓ量が６０％以上、鉄率（Ｉ．Ｍ．）が０．８〜１．３のセメントクリンカーを原料としたセメントを用いる。従来のセメントよりも白色度が低く、眩しさの低減効果が得られる。【選択図】  なし【特許請求の範囲】
【請求項１】
コンクリート舗装するにあたり、コンクリートの用のセメントとしてボーグ式により算出されるＣ３ＡおよびＣ４ＡＦの合計量が２２％以上、Ｃ３Ｓ量が６０％以上、鉄率（Ｉ．Ｍ．）が０．８〜１．３のセメントクリンカーを原料としたセメントを用いることを特徴とする、道路舗装方法。
【請求項２】
トンネル出口の道路面をコンクリート舗装するにあたり、該コンクリート用のセメントとして、ボーグ式により算出されるＣ３ＡおよびＣ４ＡＦの合計量が２２％以上、Ｃ３Ｓ量が６０％以上、鉄率（Ｉ．Ｍ．）が０．８〜１．３のセメントクリンカーを原料としたセメントを用いることを特徴とする、道路舗装方法。
【請求項３】
コンクリート用の細骨材として銅スラグを用いる請求項１の道路舗装方法。
【発明の詳細な説明】
【技術分野】
【０００１】
本発明はコンクリートで道路舗装を行う技術に係わる。
【背景技術】
【０００２】
道路の舗装には主にアスファルト舗装とコンクリート舗装とが存在する。現在の主流はアスファルト舗装であるが、コンクリート舗装はアスファルト舗装に比べて耐摩耗性などの耐久性に優れ、そのため５０〜６０年も舗装し直さなくてよいなど、ライフサイクルコストが低減できるという利点がある。
【先行技術文献】
【特許文献】
【０００３】
【特許文献１】特開２０１２−２２４５０４号公報
【発明の概要】
【発明が解決しようとする課題】
【０００４】
コンクリート舗装はアスファルト舗装に比べて白色度が高い、即ち、太陽光の反射が多いという特徴を持っていることから、アスファルト舗装に比べて路面の光反射により運転手がまぶしさを感じて目が眩むことがあり、これは白色度の高いコンクリート舗装で顕著であった。特にアスファルト舗装との連結部分やトンネル内など暗い場所から出た際にさらに顕著であった。
【０００５】
そこで、このまぶしさを低減する技術が求められていた。
【課題を解決するための手段】
【０００６】
本発明者等が上記課題に鑑み鋭意検討を行った。そして特許文献１に記載のセメントが、一般的なポルトランドセメントに比べて鉄分が多く、そのため色調が暗めであるという点に着目し、本発明を完成するに至った。
【０００７】
即ち本発明は、コンクリート舗装するにあたり、該コンクリート用のセメントとして、ボーグ式により算出されるＣ３ＡおよびＣ４ＡＦの合計量が２２％以上、Ｃ３Ｓ量が６０％以上、鉄率（Ｉ．Ｍ．）が０．８〜１．３のセメントクリンカーを原料としたセメントを用いることを特徴とする、道路舗装方法である。
【発明の効果】
【０００８】
本発明によれば、耐久性に優れ且つ、路面の反射によりまぶしさを感じることが低減されるため、安全性の向上に寄与し、その有用性は大きい。
【発明を実施するための形態】
【０００９】
本発明の舗装で用いるコンクリートの原料となるセメントは、Ｃ３ＡおよびＣ４ＡＦの合計量が２２％以上、Ｃ３Ｓ量が６０％以上、鉄率（Ｉ．Ｍ．）が０．８〜１．３のセメントクリンカーを原料としたセメントである。
【００１０】
このようなセメントクリンカーは原料を上記化学組成になるよう定法に従い計量し、ロータリーキルンで１３００〜１４００℃で焼成することにより入手できる。焼成して得られたセメントクリンカーは石膏と混合、粉砕して、あるいは別々に粉砕後、混合してセメントとできる。
【００１１】
本発明の舗装で用いるコンクリートの骨材としては公知のものを特に制限無く採用できるが、特に、細骨材として銅スラグを用いることが好ましい。銅スラグは物理的、化学的に安定しているのみならず、その色調が黒色であるため、コンクリート舗装面の白色度をより一層低下させることが可能である。また、副産物である銅スラグの有効利用という観点からも好ましい。
【００１２】
その他、コンクリートの製造方法、打設（施工）方法は定法に従って行えばよい。
【００１３】
本発明の道路舗装方法においては、一般的な全ての道路面の舗装に前記した組成のセメントクリンカーを原料としたセメントを用いたコンクリートを使用できる。
【００１４】
その中でも特に白色度の影響が大きいアスファルト舗装との連結部分やトンネル出口で使用することでより効果が得られる。
【００１５】
通常、アスファルト舗装との連結部分やトンネル出口は境界線から１５ｍまで上記コンクリートで舗装すればよいが、好ましくは３０ｍ以上、より好ましくは５０ｍ以上である。また境界線より内側（トンネル内）も日光の差し込みがあるため同様に舗装することが好ましい。
【実施例】
【００１６】
以下、実施例により本発明の構成及び効果を説明するが、本発明はこれらの実施例に限定されるものではない。
【００１７】
廃棄物を含む工業原料を用いて原料を調整した後、電気炉で焼成し、セメントクリンカーを得た。得られたクリンカーのボーグ式による鉱物組成および諸比率・係数を表１に示す。このセメントクリンカーにＳＯ３換算で２±０．２％となるようにセッコウを添加し、Ｂｌａｉｎｅ法による比表面積が３２００±５０ｃｍ２／ｇとなるように混合粉砕し、各セメントを製造した。得られたセメントを使用してＪＩＳ  Ｒ  ５２０１に準拠してモルタル供試体を作製した。モルタル供試体の表面を乾燥させた後、供試体表面を分光色差計により色彩を測定した結果を表２に示す。
【００１８】
比較例１は従来からある標準的な普通セメント組成のクリンカーをから試製したセメントを使用した例であるが、明度Ｌ＊は７７程度と白色度が高い。
【００１９】
実施例１は本発明に係るものであり、明度Ｌ＊は６６程度と比較例１と比較して白色度が低い結果となっている。
【００２０】
【表１】
2017095936.tif 000002
【００２１】
【表２】
2017095936.tif 000003
(57)【要約】【課題】テーブル状部材の筒状脚部内部にコンクリート芯を挿入する場合、芯が脚部内部でがたついたり、傾いたりしないようガイドを脚部内部に設ける。【解決手段】本発明は、雨水流出抑制用施設の貯留槽構築用の、樹脂製の平盤部と平盤部に開口する脚部からなるテーブル状部材であって、筒状の脚部内部に芯挿入用のガイドを設けたテーブル状部材である。脚部内部に挿入された芯の傾き、がたつき防止するため芯の挿入用ガイドを設けた。【選択図】図２
2017095971.tif 000002
【特許請求の範囲】
【請求項１】
雨水流出抑制用施設の貯留槽構築用の、樹脂製の平盤部と平盤部に開口する脚部からなるテーブル状部材であって、筒状の脚部内部に芯挿入用のガイドを設けたテーブル状部材。
【発明の詳細な説明】
【技術分野】
【０００１】
本発明は、樹脂製の土木用資材であるテーブル状部材の鉛直応力を強化する技術に属する。
【背景技術】
【０００２】
一時的に雨水を貯留し、徐々に流出させる雨水流出抑制施設を構築する土木用資材として平盤部と平盤部に開口する脚部からなるを設けたテーブル状部材があり、熱可塑性樹脂を射出成形して製造される。かかるテーブル状部材は熱可塑性樹脂製であるため、長期間の使用に対しクリープ発生の恐れがある。
通常５０年使用する前提でクリープの影響を考慮しているが、千時間程度のクリープ試験から５０年後を想定するため、その正確さは必ずしも確かではない。
そのため、特開２００４−２３２２５１、特開２００６−２００３５６、特開２００７−１６５３２、特開２００８−２５５７６７には、鉛直方向の強度を高めるため脚部にコンクリート芯を挿入する提案がなされている。
【先行技術文献】
【特許文献】
【０００３】
【特許文献１】特開２００４−２３２２５１
【特許文献２】特開２００６−２００３５６
【特許文献３】特開２００６−２００３５６
【特許文献４】特開２００８−２５５７６７
【発明の開示】
【発明が解決しようとする課題】
【０００４】
テーブル状部材の筒状脚部内部にコンクリート芯を挿入する場合、芯が脚部内部でがたついたり、傾いたりしないようガイドを脚部内部に設ける。
【課題を解決するための手段】
【０００５】
本発明は、雨水流出抑制用施設の貯留槽構築用の、樹脂製の平盤部と平盤部に開口する脚部からなるテーブル状部材であって、筒状の脚部内部に芯挿入用のガイドを設けたテーブル状部材である。
脚部内部に挿入された芯の傾き、がたつき防止するため芯の挿入用ガイドを設けた。
【発明の効果】
【０００６】
本発明は、雨水流出抑制用施設の貯留槽構築用の、樹脂製の平盤部と平盤部に開口する脚部からなるテーブル状部材であって、筒状の脚部内部に芯挿入用のガイドを設けたテーブル状部材である。
そのため、芯が滑らかに挿入でき、芯が脚部内部で傾いたり、がたつくことを防止できる。
【図面の簡単な説明】
【０００７】
【図１】は、本発明のテーブル状部材の概念図を示す。
【図２】は、本発明のテーブル状部材の脚部内部に設けたガイドおよび芯を挿入した一例である。
【図３】は、テーブル状部材を脚底部を対向させたユニットに芯を挿入した例を示す。
【図４】は、本発明のテーブル状部材の使用例を示す概念図である。
【発明を実施するための形態】
【０００８】
以下、本発明を図により詳細に説明する。
図1に示す通り、本発明のテーブル状部材は平盤部と平盤部に開口する脚部から構成される。
平盤部は貯留する雨水が上下に流れ下るよう複数の孔が設けられている。形状は正方形、長方形、あるいはそれらの端部を切り欠いた形状であり、全体として密着して配置できる形状であれば良い。脚部はテーパを設けた筒状形を有し、その断面は円形、多角形、梅鉢形など任意に選ぶことができる。一般に、運搬、貯蔵の便を図るため、積み重ね可能となるよう脚部に脚部底部から平盤部開口部にかけ徐々に広くなるようテーパが設けられる。平盤部に設ける脚部の位置、個数も任意に設定可能である。
【０００９】
図２ａは、本発明のテーブル状部材の脚部内部に設けた芯の挿入用ガイドの一例である。
図に示したとおり、ガイドは挿入する芯の形状に合わせ脚部底部から上方に形成される。ガイド上方は芯が脚部中心に向かってすべるよう斜めに形成されることが好ましい。芯の材質は鉛直強度を向上させる目的からコンクリート製、金属製が好ましい。また、芯の形状は、図では円柱状に形成されているが、がたつきをより少なくするためリブに対応した溝を有する戴円錐形状でもよい。
脚部形状に合わせその形状を選択することができる。
図では、経済性の理由からガイドは複数のリブ状に形成されているがこの形状にこだわる必要はない。
図２ｂは、脚部にコンクリート製芯が挿入された状態を示している。
【００１０】
図３は、テーブル状部材をその脚部底部を対向させた状態のユニットを示している。一般にはこのユニットを上下左右に配列して、雨水等の貯留空間としている。
【００１１】
図４は、上記ユニットを複数上下左右に配列して、貯留空間を形成し、周囲に壁を設け、それをシート類で覆い、ドロだめ枡、オリフィス枡など付帯設備を設けた雨水流出抑制施設である貯留槽の例を示している。
【産業上の利用可能性】
【００１２】
雨水の流出抑制施設に使用される一時的貯留槽、汚染水などの一時貯留槽として使用される。
【符号の説明】
【００１３】
１  テーブル用部材
２  テーブル状部材脚部内部に設けたガイド
３  コンクリート製芯
【図１】
2017095971.tif 000003
【図２】
2017095971.tif 000004
【図３】
2017095971.tif 000005
【図４】
2017095971.tif 000006
(57)【要約】【課題】従来、円筒に印刷する場合、限られた側面部分だけにしか印刷できないため、数多く表示しようとすると、文字や図柄を小さくしなければならず、物理的にかぎられた面積しか使えなかった。【解決手段】上部外側にカールのある紙コップに、上部内側にカールがあり下部外側にカールのある紙筒１を、該紙カップのカールと嵌合するように外側で嵌入し、該紙筒１の外側に複数のカールのない紙筒２を、該紙筒１の下部カールまで嵌入した外巻き付き紙製円筒容器。【選択図】図２
2017095171.tif 000002
【特許請求の範囲】
【請求項１】
上部外側にカールのある紙コップに、上部内側にカールがあり下部外側にカールのある紙筒１を、該紙カップのカールと嵌合するように外側で嵌入し、該紙筒１の外側に複数のカールのない紙筒２を、該紙筒１の下部カールまで嵌入した外巻き付き紙製円筒容器。
【発明の詳細な説明】
【技術分野】
【０００１】  外カールの縁巻き部を利用して、その上に何重にも、外巻きを置けるようにし、また、不要になれば外すこともでき、一定の大きさ表示しかできないものを、何倍にも表示できるようにした紙製容器である。
【背景技術】
【０００２】  従来、円筒に印刷する場合、限られた側面部分だけにしか印刷できないため、数多く表示しようとすると、文字や図柄を小さくしなければならず、物理的に限られた面積しか使えなかった。
【発明の概要】
【発明が解決しようとする課題】
【０００３】  この場合、円筒の大きさを大きくするしか方法がなかった。そのため、小さいサイズのモノは、表示面積不足で使えなくなっていた。
【課題を解決するための手段】
【０００４】  上記課題を解決する為に以下の手段を用いた。
上部外側にカールのある紙コップに、上部内側にカールがあり下部外側にカールのある紙筒１を、該紙カップのカールと嵌合するように外側で嵌入し、該紙筒１の外側に複数のカールのない紙筒２を、該紙筒１の下部カールまで嵌入した外巻き付き紙製円筒容器。
【発明の効果】
【０００５】  卓上カレンダー付きペン立てとしてであれば、紙筒１に９月〜１２月、紙筒２の１に５月〜８月、紙筒２の２に１月〜４月の印刷をして、文字を大きく見せることができ、４月が過ぎたら紙筒２の２を外し、８月が過ぎたら紙筒２の１を外すことによって、年間カレンダーとなる。本体はペン立てとして使う。
紙筒１の下部の外カールの大きさまで何重にも、外巻きを増やせる。また、外巻きの紙厚により、何重にも紙カップの開口部方向へ伸ばして連ねた状態での使用方法もできる。
本体は、お菓子容器としてとか、モノを入れるパッケージとしても使用できる。
【図面の簡単な説明】
【０００６】
【図１】本発明の実施例を示す外巻き付き紙製円筒容器の実施例。
【図２】卓上カレンダー付きペン立てとしての実施例。
【発明を実施するための形態】
【０００７】  本発明の外巻き付き紙製円筒容器は、上部を内カール、下部を外カールさせた紙筒１と、該紙筒１の外側に何重にも重ねて置いていくカールしてない紙筒２と、上部を外カール、下部を内カールさせた紙カップとから構成されている。
【０００８】  上下カールを有する紙筒１は、木型を使って平盤打抜機で展開した形に打ち抜く。何枚かのカールしてない紙筒２は、同様に、木型を使って平盤打抜機で展開した形に打ち抜く。
【０００９】  紙管工程▲１▼として、前記の打ち抜いた紙筒１を、まず全体がスムーズに丸くなるように機械でくせ付けした後、円筒状になるように左右両端を糊付けする。次に紙管工程▲２▼として、工程▲１▼の円筒状の上端直径に対応する金型を使って、９０℃〜１００℃の熱と上下圧によって、紙筒１上端円弧を内側にカール加工すなわち丸く曲げる。次に紙管工程▲３▼てして、今度は円筒状の下端直径に対応する金型を使って、９０℃〜１００℃の熱と上下圧によって、紙筒１下端円弧を外側にカール加工すなわち丸く曲げて紙筒１下部内カールの上側部が出来上がる。
【００１０】  カールしてない紙筒２の製造は、紙管工程▲４▼として、打ち抜いた外巻き部分を、まず全体がスムーズに丸くなるように機械でくせ付けした後、円筒状になるように左右両端を糊付けする。直径を少しずつ大きくしたカールしてない紙筒２を同様に製造する。
【００１１】  紙カップの製造は、紙管工程▲５▼として、打ち抜いた紙カップ胴部分を、まず全体がスムーズに丸くなるように機械でくせ付けした後、円筒状または円錐（テーパー）状になるように左右両端を糊付けする。次に紙管工程▲６▼として、工程▲５▼の円筒状または円錐（テーパー）状の上端直径に対応する金型を使って、９０℃〜１００℃の熱と上下圧によって、底上端円弧を外側にカール加工すなわち丸く曲げて、紙カップ上部外カールの上側部５が出来上がる。次に紙管工程▲７▼として、今度は円筒状または円錐（テーパー）状の下端直径に対応する金型を使って、９０℃〜１００℃の熱と上下圧によって、紙カップ下端円弧を内側にカール加工すなわち丸く曲げる。次に前工程で仕上がった内側にカールさせた紙カップ下部内カールの上側部と紙カップ底板の下側部を円弧に沿って糊付けして接着する。
【００１２】  以上の加工により仕上がった、上部外側にカールのある紙コップに、上部内側にカールがあり下部外側にカールのある紙筒１を、該紙カップのカールと嵌合するように外側で嵌入し、該紙筒１の外側に複数のカールのない紙筒２を、該紙筒１の下部カールまで嵌入して、外巻き付き紙製円筒容器となる。
【００１３】    卓上カレンダー付きペン立て図２として、紙筒１に９月〜１２月、紙筒２の１に５月〜８月、紙筒２の２に１月〜４月の印刷をして、文字を大きく見せることができ、４月が過ぎたら紙筒２の２を外し、８月が過ぎたら紙筒２の１を外すことによって、年間カレンダーとなる。本体はペン立てとして使う。
【符号の説明】
【００１４】  １      紙カップ
２      紙筒１
３−１  紙筒２の１
３−２  紙筒２の２
４      カレンダー
【図１】
2017095171.tif 000003
【図２】
2017095171.tif 000004
(57)【要約】【課題】    今までのエネルギー発生装置は、他からエネルギーを受け、そのエネルギーの形態を変えなければならなかった。  そのために、他からエネルギーを受け取ることが絶対条件となり、次に、エネルギー変換時における環境への配慮等が必要条件となる。  それらの条件を克服し、自らの発生する磁力エネルギーを利用した、エネルギー発生装置を提供する。【解決手段】地球上のあらゆる場所で、また、宇宙空間において、磁力エネルギーは普遍に存在することが出来る。  この磁力エネルギーを自ら絶えず発生させている物として、永久磁石を挙げることが出来る。  永久磁石は、同極間同士では反発しあい、異極間同士ではお互いを引き寄せる性質を持つ。  本発明は、磁石自が発生するエネルギーを利用するものであり、この性質の内、同極間同士での反発力のみの利用を特徴とする。【選択図】図３
2017133492.tif 000002
【特許請求の範囲】
【請求項１】
上下運動の出来る腕４を回転体３に取り付けた装置。
【請求項２】
固定円板１に取り付けた永久磁石群２と同磁極が向かい合わせになるように取り付けた永久磁石７及びその永久磁石７の反発力と自重の関係を調整する錘５を、上下運動の出来る腕４に設置した装置。
付けた装置。
【請求項３】
高低差をつけた固定円板１に、磁力に強弱の付いた永久磁石群２を取り付けた装置。
【発明の詳細な説明】
【技術分野】
【０００１】  本発明は、磁力エネルギーを出し続ける永久磁石の性質を利用した、永久磁石によるエネルギー発生装置に関するものである。
【背景技術】
【０００２】  従来、エネルギーを得る装置として、地熱及び石油や天然ガスに代表される化石燃料の燃焼並びに原子核分裂による高エネルギー等、熱エネルギーを利用したもの。風力や水力、潮力等、運動エネルギーを利用したもの。太陽光等、光電効果を利用したものなどが挙げられる。【０００３】  これらは、他からエネルギーを受け、そのエネルギーの形態を変えなければならず、物質自らが発生させるエネルギーを利用する装置ではなかった。
【先行技術文献】
【特許文献】
【０００４】
【特許文献１】
【特許文献２】
【発明の概要】
【発明が解決しようとする課題】
【０００５】  今までのエネルギー発生装置では、他からエネルギーを受け、そのエネルギーの形態を変えなければならず、そのためには、他からエネルギーを受け取ることが絶対条件となり、次にエネルギー変換時における環境への配慮等が必要条件となっていた。
この課題を解決するためには、物質の本質を知り、物質自らが所有するエネルギーを、直接利用する発想が必要となる。
【課題を解決するための手段】
【０００６】  地球上のあらゆる場所で、また、宇宙空間において、磁力エネルギーは普遍に存在することが出来る。
この磁力エネルギーを自ら絶えず発生させている物のとして、永久磁石を挙げることが出来る。
永久磁石は、同極間では反発しあい、異極間ではお互いを引き寄せる性質を持ち、互いに大きな影響を受けることになる。
この永久磁石の持つエネルギー、つまり、同極間同士での反発力や異極間同士での引き寄せる力をうまく利用した場合、仕事をさせることが可能となる。
本発明は、これら磁石の磁気、磁力の性質を利用して開発された、永久磁石エネルギー発生装置である。
【発明の効果】
【０００７】  本発明は、永久磁石の同極同士の反発力を利用したものであり、他からエネルギーを受け取る必要がないため、地理的位置や天候、時間等に影響を受けることがなく、また、エネルギー形態変換時における環境への悪影響の懸念もなく、安全で、安価な安定したエネルギーの供給を、し続けることが出来る。
資源の少ない日本、食料の高自給率を目標としている日本にとって、喫緊に検討を要する課題の一つであると思われる。
なお、本発明は、永久磁石の持つ磁力エネルギーを利用するものであり、巷間伝わる永久機関ではなく、エネルギー保存の法則にも抵触しない。
【図面の簡単な説明】
【０００８】
【図１】  永久磁石群２を取り付けた固定円板１を上から見た図である。
【図２】  腕４を取り付けた回転体３を下から見た図である。
【図３】  本装置を側面から見た図である。
【図４】  同極同士の反発力のイメージ図である。
【発明を実施するための形態】
【０００９】  以下、本発明の実施の形態について説明する。
図１は、高低差を付けた固定円板１の縁に、磁力に強弱のある永久磁石２を取り付けた図である。
図２は、その向かい合わせに、同極が向き合う様に永久磁石７を取り付けた腕４を回転体３に設置した図である。
なお、回転体３に取り付けた腕４については、多少の上下運動が出来る様、フレキシブルな取り付けとなっている。
図３は、その関係を側面から見た図である。
磁力に強弱を付けた永久磁石群２と同極が向かい合わせになる様に取り付けた永久磁石７との間には反発力が生じる。
固定円板１に取り付けてある永久磁石群２には、磁力の強弱があるため、回転体３に設置した永久磁石７を、その同極を向かい合わせに取り付け、接近させた場合、回転体３に設置した永久磁石７は、固定円板１に取り付けた強磁力永久磁石及び弱磁力永久磁石の影響により、図４のとおり、強磁力側から弱磁力側へと動こうとし、永久磁石７を設置した回転体３は回転することになる。
なお、回転体３に取り付けた腕４や永久磁石７の自重だけでは、回転体３のスムーズな回転は得られず、同極同士の反発力と自重の関係を錘５により調整する必要がある。
【符号の説明】
【００１０】１          高低差を付けた固定円板
２          固定円板の縁に取り付けた、磁力に強弱のある永久磁石群強磁石
３          固定円板の縁に取り付けた、磁力に強弱のある永久磁石群
４          固定円板の縁に取り付けた、磁力に強弱のある永久磁石群
５          固定円板の縁に取り付けた、磁力に強弱のある永久磁石群
６          固定円板の縁に取り付けた、磁力に強弱のある永久磁石群
７          固定円板の縁に取り付けた、磁力に強弱のある永久磁石群
８          固定円板の縁に取り付けた、磁力に強弱のある永久磁石群
９          固定円板の縁に取り付けた、磁力に強弱のある永久磁石群
１０        固定円板の縁に取り付けた、磁力に強弱のある永久磁石群
１１        固定円板の縁に取り付けた、磁力に強弱のある永久磁石群
１２        固定円板の縁に取り付けた、磁力に強弱のある永久磁石群
１３        固定円板の縁に取り付けた、磁力に強弱のある永久磁石群弱磁石
１４        運動エネルギーを得るための回転体
１５        回転体に設置した、多少の上下運動をすることが出来る腕
１６        回転調整用錘
１７        回転体の中心軸
１８        永久磁石
【図１】
2017133492.tif 000003
【図２】
2017133492.tif 000004
【図３】
2017133492.tif 000005
【図４】
2017133492.tif 000006
(57)【要約】【課題】薬剤を含侵・注入した木材は、木材の吸脱湿作用によって薬剤の溶脱が生じてしまう。そのため、薬剤の溶脱を防止する方法として、木材の表面を合成樹脂等で被膜する方法等が開発されている。しかし、従来の合成樹脂等で被膜を形成する溶脱防止方法では、塗装や加工において課題があった。【解決手段】薬剤を含侵・注入した木材の表面に厚さ０．２ｍｍ〜３．０ｍｍの木材を、接着剤にて接着することにより、木材に含侵・注入された薬剤の溶脱防止を実現し、塗装、加工が可能な木材を提供する。【選択図】図１
2017052255.tif 000002
【特許請求の範囲】
【請求項１】
木材に含侵・注入された薬剤の溶脱を防止する方法であって、薬剤を含侵・注入した木材の表面に所定の厚みの木材を接着することを特徴とした、薬剤の溶脱防止方法。
【請求項２】
表面に接着する木材の厚さが、０．２ｍｍ〜３．０ｍｍの範囲であることを特徴とする請求項１に記載の薬剤の溶脱防止方法。
【請求項３】
請求項１〜２に記載のいずれか１項目記載の溶脱方法により製造された木材。
【発明の詳細な説明】
【技術分野】
【０００１】  本発明は木材に含侵・注入された薬剤の溶脱防止に関するものである。
【背景技術】
【０００２】  本来木材は可燃物である。しかし、火災時の延焼防止等の観点から、木材の燃焼を抑えるための研究開発が行われてきた。その結果、ホウ素化合物、リン酸化合物等の薬剤を木材に含侵・注入することで燃焼を抑える技術が開発され、商品化されている。【０００３】  木材の燃焼を抑えるために使用されるホウ素化合物、リン酸化合物等の薬剤は水溶性であり、木材に含侵・注入した後に、木材の吸脱湿作用によって溶脱が生じてしまう課題がある。【０００４】  薬剤が溶脱した場合、析出した薬剤が木材の表面で白くなる白華現象が生じ、木材の利用価値として重要な要素である美観・質感を著しく損ねてしまう。【０００５】  そのため、薬剤の溶脱を防止する方法として、木材の表面を合成樹脂等で被膜する方法等が開発されている（特許文献１参照）。
【先行技術文献】
【特許文献】
【０００６】
【特許文献１】特開２００７−１３６９９２号公報
【発明の概要】
【発明が解決しようとする課題】
【０００７】  しかし、従来の合成樹脂等で被膜を形成する溶脱防止方法では、塗装や加工において課題がある。【０００８】  表面が被膜で覆われているため、通常の木材と同様の塗装ができない。具体的には、木材内部に浸透することで効果を発揮する浸透系塗料は、被膜のために木材内部へ浸透できず使用できない。【０００９】  また、表面が被膜で覆われているため、通常の木材と同様の加工ができない。具体的には、木材表面の研磨加工や、木目の凹凸を出すうずくり加工等の加工を行うと被膜が損傷し、溶脱防止の効果が損なわれてしまう。【００１０】  本発明は上記課題を少なくとも１つ解決するためになされたものであり、新たな薬剤の溶脱防止方法を提供することにある。
また、その溶脱防止方法で製造した木材を提供することにある。
【課題を解決するための手段】
【００１１】  そこで本発明者は、前記課題を解決すべく検討した結果、薬剤を含侵・注入した木材の表面に例えば厚さ０．２ｍｍ〜３．０ｍｍの木材を接着剤にて接着することにより、木材に含侵・注入された薬剤の溶脱防止を実現し、白華の無い、塗装、加工が可能な木材を提供できることを見出し、本発明を完成した。【００１２】  すなわち、薬剤を含侵・注入した木材の表面に接着剤からなる被膜（以下、接着層）を形成し、木材の吸脱湿作用を抑制することにより薬剤の溶脱を防止する。【００１３】  また、薬剤を含侵・注入した木材の表面に、接着層を挟んで木材からなる被膜（以下、木材層）を形成し、接着層で防止できない薬剤の溶脱があった場合に、薬剤が表面に析出し、白華を起こすことを防止する。【００１４】  木材層は通常の木材であるため、塗装、加工を通常の木材と同様に行うことができる。【００１５】  さらに、木材層の厚さを０．２ｍｍ〜３．０ｍｍにすることで、木材に薬剤を含侵・注入することによる燃焼抑制効果を著しく損なうことなく、薬剤の溶脱を防止することができる。
【発明の効果】
【００１６】  本発明によれば、薬剤を含侵・注入した木材からの薬剤の溶脱防止を接着層にて実現している。さらに、接着層で防げない薬剤の溶脱が発生したとしても、さらに木材層が存在することで、表面の薬剤析出による白華を防止できる。【００１７】  木材は質感・美観が重視される素材であり、木材層によって様々な塗装、加工を可能とすることで、その付加価値を高めることが可能となる。【００１８】  木材の種類を問わず、幅広く利用可能な方法である。
【図面の簡単な説明】
【００１９】
【図１】溶脱防止方法の構成を示す説明図。
【発明を実施するための形態】
【００２０】  図１は、溶脱防止方法の構成を示す説明図であり、薬剤を含侵・注入した木材１０と、接着層１１、木材層１２からなる。
【００２１】  薬剤を含侵・注入した木材１０の表面に、接着剤をローラー、刷毛、スプレー等によって塗布し、０．２ｍｍ〜３．０ｍｍの木材を接着剤の塗布された面に貼りつける。さらにプレスにより圧着し、接着層１１、木材層１２を形成する。
【００２２】  薬剤を含侵・注入した木材１０は、薬剤を含侵・注入した後、乾燥させた木材である。
【００２３】  接着剤には、含侵・注入した薬剤の影響を受けず、接着できる物を使用する。含侵・注入された薬剤がホウ素化合物からなる場合には、水性高分子イソシアネート系などが使用できる。しかし、その他の接着剤も薬剤の影響を受けない物であれば使用可能である。
【００２４】  木材層１２については、期待する燃焼抑制効果を満足させる木材の厚さを選べばよい。燃焼抑制効果については、発熱量が指標として一般的に用いられる。木材の厚さが薄いほど発熱量が減少し、その発熱量はコーンカロリーメーター法発熱性試験により計測することができる。
例えば、杉の木材層１２を持った不燃木材を製造したいのであれば、薬剤を含侵・注入することで不燃処理された木材の表面に杉の木材層１２を形成し、コーンカロリーメーター法発熱性試験による総発熱量が法定の８ＭＪ／ｍ２以下をクリアするように、厚さを選定すればよい。
ただし、木材層１２を０．２ｍｍ未満とすると接着剤が木材層１２の表面に漏れてしまう場合があり、ふさわしくない。
【００２５】  接着層１１、木材層１２は、必要に応じて形成する面を選択する。木表側１面に限らず、木裏、木端、木口にも、上記方法にて薬剤の溶脱防止に必要な接着層１１と木材層１２を形成することができる。
【符号の説明】
【・・・・】
１０・・・薬剤を含侵・注入された木材
１１・・・接着層
１２・・・木材層
【図１】
2017052255.tif 000003
(57)【要約】      （修正有）【課題】生臭味のない高単位のビタミンを含有し、且つ重金属及びヒ素が除去された、高純度で安全性の高い精製肝油の製造方法の提供。【解決手段】海産動物の内蔵から取出した肝臓（不図示）を第１槽１の微粒子粉砕機によりを微粒子液にし、この微粒子液を第２槽２に溜め、この第２槽において微粒子液を短時間放置し、微粒子液を油状物と残物とに分離させ、更に第３槽３で冷凍の状態で溜め、純粋な油状物のみを抽出し、第４槽４へ移し、この油状物を濾過機で繰返し濾過し、更に第５槽５の攪拌機にて粒子の細かい活性炭と一緒に撹拌処理することにより精製肝油を製造する。【選択図】図１
2017052923.tif 000002
【特許請求の範囲】
【請求項１】
簡素な工程により、安心で安全な高純度に精製した生臭味のない高単位のビタミンを含有する肝油の製造方法において、海産動物の内蔵から取出した肝臓を第１槽に入れた後、微粒子粉砕機により肝臓を微粒子液にし、この第１槽内の微粒子液を第２槽に溜め、この第２槽において微粒子液を短時間放置し、微粒子液を油状物と残物とに分離させ、更に第３槽で冷凍の状態で溜め、純粋な油状物のみを濾過槽へ移し、繰返し濾過し、撹拌機に粒子の細かい活性炭と撹拌することを特徴とする肝油の製造方法。
【発明の詳細な説明】
【技術分野】
【０００１】  本発明は海産動物の肝臓を生臭味のない高単位のビタミンを含有する安心・安全な肝油の製造方法に関するものである。
【背景技術】
【０００２】  従来、肝油の製造方法においては、昔ながらの製造方法によると、サメ、タラ等の肝臓を５０から６０度、あるいはそれ以上の温度により加熱処理して、肝油を採取したり、あるいは真空蒸留と分別蒸留を組み合わせたり、または化学的にアルカリ消化法がある。このような肝油採取方法では肝油の品質に大きな問題があった。つまり、サメ、タラ等の肝臓には高単位ビタミンＡ・Ｅを多く含有しているが前者においては加熱によりビタミンが破壊され、高単位のビタミンＡ・Ｅを得られないという欠点がある。また化学処理においても純度において低下させるものであり、品質面と安全性にも大きな問題を含んでいる。【０００３】  斯かる問題においては、既に熱処理をしないで肝油を製造するという方法がある。この方法は熱処理とは全く逆の技術思想に基づくものである。つまり、肝油の採取において冷凍処理を行うという方法がある。この発明は昭和５９年に完成しているので具体的に説明する。これによると、深海ザメの肝臓を粉砕機で粉砕した懸濁液となし、−２５℃から−５０℃の雰囲気で懸濁液を冷凍し、１０日間静置後、自然解凍させる。常温下で生成した液状物の表面における粘性の固形物などを除去し、底部層に分かれた水分や不純物を分離し、得られた油状物に芒硝を加え、真空ろ過して透明な精製肝油が得られるというものである。
【先行技術文献】
【特許文献】
【０００４】
【特許文献１】  特開平０９−０８７６５５号  公報
【発明の概要】
【発明が解決しようとする課題】
【０００５】  前記するような冷凍処理方法においては、肝臓の混濁液を一度凍らせた後、これを再び解凍するものである。このような工程では、ある程度の液状物の表面における粘性の固形物などを除去し、底部層に分かれた水分や不純物しか取れない。【０００６】  本発明は、高純度に精製した生臭味のない高単位のビタミンを含有する肝油の製造方法に撹拌機に粒子の細かい活性炭と撹拌することを組み合わせることで、重金属、ヒ素まで除去することができ、高純度で安全性の高い精製肝油ができる。
【課題を解決するための手段】
【０００７】  本発明は斯かる目的を達成するために、この工程により、高純度に精製した生臭味のない高単位のビタミンを含有する肝油の製造方法に撹拌機に粒子の細かい活性炭と撹拌することを組み合わせる肝油の製造方法において、海産動物の内蔵から取出した肝臓を第１槽の微粒子粉砕機によりを微粒子液にし、この微粒子液を第２槽に溜め、この第２槽において微粒子液を短時間放置し、微粒子液を油状物と残物とに分離させ、更に第３槽で冷凍の状態で溜め、純粋な油状物のみを抽出し、濾過槽４へ移し、この油状物を濾過槽４で繰返し濾過し、５層で撹拌機に粒子の細かい活性炭と撹拌することにある。
【発明の効果】
【０００８】  以上の如く本発明における肝油の製造方法は、簡素な工程により、高純度に精製した生臭味のない高単位のビタミンを含有できる肝油の製造方法において、海産動物の内臓から取出した肝臓を第１糟に入れた後、微粒子粉砕機により肝臓を超微粒子液にし、この第１槽内の超微粒子液を第２槽に溜め、この第２槽において超微粒子液を短時間放置し、油状物と残物とを分離させ、油状物のみを濾過槽へ移し、油状物を繰返し濾過することにより、肝油の品質と歩留りを向上させ、大量かつ迅速に処理できるため、製品コストを安価にできるので有用性に優れた効果を奏するものである。
【図面の簡単な説明】
【０００９】
【図１】本発明における製造工程を示す概念図
【図２】本発明における肝油の成分分析結果表
【発明を実施するための形態】
【００１０】  以下、本発明における肝油の製造方法の一実施例である各図を説明すると、図１は本発明における肝油の製造方法の製造工程を示す概念図である。図２は本発明おける肝油の前後のヒ素の所要値を示す分析結果表である。
【００１１】  さらに詳しく本発明における肝油の製造方法において、その周辺技術を説明する。前記海産動物は例えばサメの中にはアイザメ、ユメザメ、ヘラツノザメ、ハシキザメ、ヨシキリザメ、シュモクザメなど、ねり製品の材科や皮、肝油に使われるがこれらサメの中でも、アイザメやユメザメ、ヘラツノザメは大きな肝臓を持ち、肝臓の含油量は実に６０％を占め、豊富なビタミンＡ、Ｅ等を含有している。またサメ以外にもタラや鯨の肝臓にも豊富なビタミンＡを含有している。この種の肝臓（不図示）を取り出し、この肝臓に多量に含まれる脂肪から肝油を製造する。すべての肝臓に対応でき無駄なく肝油を抽出し、重金属、ヒ素まで除去することができる製造方法である。
【００１２】  また図２に示す通り、分析結果表からも明らかに、肝油のヒ素の前後の所要値を示す成分の分析結果表が示している。
【符号の説明】
【００１３】１−第１槽
２−第２槽
３−第３槽
４−第４槽
５−第５槽
【図１】
2017052923.tif 000003
【図２】
2017052923.tif 000004
(57)【要約】      （修正有）【課題】バッテリー液の残量を簡単に計測できるバッテリ液残量確認器を提供する。【解決手段】パイプの中に浮き状の棒を通した形状のバッテリー液残量確認器であって、バッテリー液注入口の穴の上に置く底面４を備えたガイドパイプ１と、ガイドパイプ１の中を通る浮き棒２と、液面に浮かべる浮き５と、を備え、ガイドパイプの上端に設けられた基準線８と、浮き棒２に設けられた下限ライン６と上限ライン７との位置により、バッテリーの液量が適正であるか判断する。【選択図】図２
2017102096.tif 000002
【特許請求の範囲】
【請求項１】
パイプの中に浮き状の棒を通した形状のバッテリー液残量確認器。
パイプをバッテリー液の注入口に置き、棒を差し込み、浮きを浮かべて、棒に印されたラインと、パイプ上端の基準線の位置を見ることにより、液の残量を確認できる。
【発明の詳細な説明】
【技術分野】
【０００１】本発明は、バッテリー液の残量を簡単に計測するものである。
【背景技術】
【０００２】今まで、バッテリー液を計測する器具として、比重を計るものはあるが、液の残量そのものを確認できる計測器はなかった。
【発明の概要】
【発明が解決しようとする課題】
【０００３】通常、バッテリー液の残量を知るには、注入口の穴から覗き込み、液面を目視で確認するか、バッテリー本体の容器が半透明のものなら、裏から懐中電灯などで照らし、液面の移り込みを見て判断する必要がある。これでは液面が分かりにくく、どれだけ注入して良いのか判断が付きにくい。
【課題を解決するための手段】
【０００４】本発明は、パイプの中に浮き状の棒を通した簡潔な作りになっている。
パイプを液の注入口に置き、浮き棒を穴の中に差し込み、浮きを浮かべて、パイプ上端の基準線を目印に、棒に印されたラインがどの位置にきているかで、液の残量を確認できる仕組みである。
【発明の効果】
【０００５】本発明はバッテリー液の残量が適正であるかどうか、簡単に計測できる。
【図面の簡単な説明】
【０００６】
【図１】本発明のおおまかな構造を示す図面。正面・背面・左側面・右側面図。
【図２】本発明のおおまかな構造を示す図面。断面図。
【図３】本発明のおおまかな構造を示す図面。平面図。
【図４】本発明のおおまかな構造を示す図面。背面図。
【図５】本発明のおおまかな構造を示す図面。斜視図。
【図６】本発明の使用状態を表す斜視図。
【発明を実施するための形態】
【０００７】（１）ガイドパイプの（４）底面を、バッテリー液注入口の穴の上に置き、（２）浮き棒を穴の中へ差し込み、（５）浮きを液面に浮かべる。ガイドパイプの上端（８）基準線を見て、（６）下限ラインと（７）上限ラインがどの位置にきているかで、バッテリーの液量が適正であるか判断する。
【符号の説明】
【０００８】（１）ガイドパイプ  （２）浮き棒  （３）落下防止ストッパー  （４）ガイドパイプの底面  （５）浮き  （６）下限ライン  （７）上限ライン  （８）基準線
【図１】
2017102096.tif 000003
【図２】
2017102096.tif 000004
【図３】
2017102096.tif 000005
【図４】
2017102096.tif 000006
【図５】
2017102096.tif 000007
【図６】
2017102096.tif 000008
(57)【要約】      （修正有）【課題】起床時は飛び跳ね暴れて眠る人を目覚めさせ、就寝時は癒し手枕としても使用が出来る目覚まし装置を提供する。【解決手段】円筒１の内部に駆動モーター２および減速機３を設け、減速機３が駆動する駆動軸４の両軸に夫々が反対の対角方向に偏芯して取付けた錘５および錘６が偏芯回転による遠心力により振動する。円筒１の外部を型成材により、形状が中心部は大きく両端部は細いラグビーボール形状に似た形状の振動体９に形成することで、ラグビーボールの特性と錘５、錘６が偏芯回転する遠心力の特性との合成で振動体９が飛び跳ね暴れるような振動をして眠る人を目覚めさせる。【選択図】図１
2017102097.tif 000002
【特許請求の範囲】
【請求項１】
振動する目覚まし装置で、円筒（１）の内部に駆動モーター（２）および減速機（３）を設け、減速機（３）が駆動する駆動軸（４）の両軸に夫々が反対の対角方向に変芯して取付けた錘（５）および錘（６）が変芯回転による遠心力により振動するが、円筒（１）の外部を形成材により、形状が中心部は大きく両端部は細いラグビーボール形状に似た形状の振動体（９）に形成することで、ラグビーボールの特性と錘（５）、錘（６が変芯回転する遠心力の特性との合成で振動体（９）が飛び跳ね暴れるような動きをして目覚まし効果を上げる方法。
【発明の詳細な説明】
【技術分野】
【０００１】目覚まし装置
【背景技術】
【０００２】就寝時は癒し手枕として使用し、起床時は大きく振動する目覚まし装置で、円筒の中に取付けたモーターで駆動する駆動装置の駆動軸の両端に変芯して取付けた錘の回転による遠心力で振動をする円筒は、円筒の上から押し圧が掛ると、円筒の振動は押し圧に抑制されて振動しなくなり、振動効果が充分に得られないのが実情である。
【先行技術文献】
【０００５】
【特許文献１】
【０００６】
【非特許文献１】
【発明の概要】
【発明が解決しようとする課題】
【０００７】上からの押し圧にも影響しない振動体を形成し、起床時は飛び跳ね暴れて眠る人を目覚めさせ、就寝時は肌触りの良い緩衝材による癒し効果で、癒し手枕としても使用が出来る目覚まし装置を課題とする。
【課題を解決するための手段】
【０００８】円筒の中に設けた駆動装置の駆動軸の両端に駆動軸に変芯して取付けた錘が変芯動作することで、遠心力により円筒が振動をする構造で、筒の周りを軽い発泡材のような素材で形成して両端は細く中心部は太いラグビーボール形状の振動体とすることで、飛び跳ね暴れるような振動となり、眠る人を驚かせ、振動体の外側に巻いた緩衝材が人の手や体に適当な刺激を与えて目覚ましを促し、表面に肌触りが良い布を用いて、睡眠時には癒し効果で、癒し手枕として使える構造とした。
【発明の効果】
【０００９】円筒の中に設けた駆動装置の駆動軸の両端に駆動に変芯して錘を付け、円筒の周りを軽い発泡材のような素材で形成して外形がラグビーボール形状の振動体とした事により、ラグビーボールの不規則な跳ね返り特性と、上からの押し圧があっても振動に与える影響が軽微である特性とに、錘が変芯回転する遠心力による変芯回転運動が重なり振動体は飛び跳ね暴れるような動きをするが、振動体の周囲にガラスウォールのような柔らかい緩衝材を巻き付け、外周には肌触りの良い布を用いているために、触って癒し効果があり、就寝時は癒し手枕として使用し、起床時刻には振動体の飛び跳ね暴れて眠る人を驚かせ、振動体の周囲に巻いた緩衝材が手や体に接触する刺激で目覚めを促す効果がある。
【図面の簡単な説明】
【図１】図１は本発明による癒し手枕（１２）を横から見た内部構造を示す正面の断面図。
【図２】図２は振動体（９）をＡ１からＡ２で切断した左側面の断面図。
【図３】図３は振動体（９）をＢ１からＢ２で切断した右側面の断面図。
【図４】図４は円筒（１）に上から圧力を掛けた図
【図５】図５は振動体（９）に上から圧力を掛けた図
【発明を実施するための形態】
【００１０】本発明の応用例で示し、図１は本案の実施例の癒し手枕（１２）の内部構造を横から見た正面の断面図で、駆動モーター（２）は起床指定時刻で電源が供給されて回転し、減速機構（３）で回転速度が減速され、駆動軸（４）が回転するが、駆動軸（４）の右端側に錘（５）が錘取り付け具（７）で取付けられ、駆動軸（４）の左端側に錘（６）が錘取り付け具（８）で取付けてあり、錘（５）と錘（６）は駆動軸（４）に、回転角度が相反する１８０度異なる反対方向に変芯して取付けられているが、この構造を図２の断面図および図３の断面図で示す。
【００１１】図１の駆動軸（４）が回転すると、錘（５）と錘（６）の変芯運動による遠心力エネルギーが、円筒（１）を大きく揺らして振動をする。
【００１２】図１の円筒（１）の周りには発泡スチロールのような軽素材により、外形が両端の先端部分は細く中心部は太いラグビーボールに似た形状の振動体（９）を形成し、振動体（９）の外周にはガラスウールのような柔らかい緩衝材（１０）が巻いてある。
【００１３】図４で示す、振動部分の形状が円筒（１）のみの場合には、外部からの加圧（Ｐ１）は、円筒（１）の下部Ｃ１からＣ２にわたり広く掛るために、円筒（１）の振動が抑圧されて振動が止まる。
【００１４】図５では振動部分がラグビーボール形状の振動体（９）で、外部からの加圧（Ｐ２）は底部のＣ３からＣ４の狭い範囲に掛るのみで両側には掛らないために、外部からの圧力で振動は止まらない。
【００１５】ラグビーボールは落下した時に、ボールが地面に当たる位置により、跳ね返る方向が異なる特質を持っているために、ラグビーボール形状の振動体が振動する時には、振動体は不規則な跳ね返りをする。
【００１６】本発明はラグビーボールの不規則な跳ね返り特性と、上からの押し圧に振動が影響され難い特性に加え、錘の変心回転で起る遠心力による変芯運動とを重ねて利用しているために、振動体は不規則に飛び跳ね暴れて踊るような動きをして、眠る人を驚かせて目を覚まさせる。
【００１７】図１で振動体（９）の周囲には、ガラスウールのような柔らかい緩衝体（１０）が巻いてあり、振動体（９）が飛び跳ね暴れた時に、緩衝体（１０）が衝撃を和らげる役目を果たして、癒し手枕（１２）が眠る人の手や体に当たっても痛くなく、目を覚まさせる適宜な刺激を与えことになる。
【００１８】  振動体（１０）の緩衝材の外周は柔らかい布で肌触りが良く、就寝中は手で触って癒し効果があり、癒し手枕として使用し、起床時刻では目覚まし装置として使用する。
【産業上の利用可能性】  本考案の癒し手枕は、就寝時は癒し手枕として使用し、起床時は激しく暴れて眠る人を  目覚めさせて、起床が苦手の人にも確実な目覚まし効果があり、構造が簡単で製作費が  安価なため利用価値がある。
る。
【符号の説明】１    円筒
２    駆動モーター
３    減速機構
４    駆動軸
５    右錘
６    左錘
７    右錘取り付け具右
８    左錘取り付け具左
９    振動体
１０  緩衝材
１１  電源リード線
１２  癒し手枕
【図１】
2017102097.tif 000003
【図２】
2017102097.tif 000004
【図３】
2017102097.tif 000005
【図４】
2017102097.tif 000006
【図５】
2017102097.tif 000007